Podtech/llm-jp-corpus-v4-ja_patent huggingface dataset:
(57)【要約】【課題】椅子に座ることが多くなった現在の日常の姿勢から美しくすることで、もっと効果的にＯ脚を矯正し足を引き締めることを促進する。【解決手段】左右の足に、それぞれ膝上や脹脛など太さによって調節できるベルトを装着し、足の内側に位置する面にマジックテープや磁石などのような足を固定でき、かつ外側に力を加えれば解かれるものを取り付ける。左右の足を揃えて固定することで美しい形を保持し、内側へ力を入れることを促し、Ｏ脚矯正及び引き締め効果をもたらす。【選択図】図１
2013244395.tif 000002
【特許請求の範囲】
【請求項１】
椅子に座っている時に、左右の足を揃えて固定することで美しい形を保ち、Ｏ脚矯正の効果をもたらす。
【請求項２】
左右別々のベルトを使用し、左右のベルトを揃えて固定する部分には外側へ力を加えると解かれるものを使用することで、緊急の状況に対応でき、また使用者にある程度内側へ力を入れることを促進し、引き締め効果をもたらす。
【発明の詳細な説明】
【技術分野】
【０００１】本発明は、椅子に座っている時に、左右の足を揃えて固定し美しい形を保つことで、足組みなどを回避し、Ｏ脚矯正及びダイエットの効果がある固定器に関する。
【発明の概要】
【発明が解決しようとする課題】
【０００２】  現在、座っている時に足を組む人が多く、また長時間椅子に座っていると気がつかない内に足を崩してしまうことが多い。これはＯ脚を導き美しい足の形になれず、ダイエット面では良くない。またこの状況を解決する物が見当たらなかった。
【課題を解決するための手段】
【０００３】本発明は、左右の足にそれぞれ膝上や脹脛など太さによって調節できるベルトに、足の内側に位置する面にマジックテープや磁石などのような足を固定でき、かつ外側に力を加えれば解かれるものを取り付けたものである。
【発明の効果】
【０００４】  本発明による固定器は左右の足を揃えて固定することで、足の歪みを回避し美しい形を保ち、ある程度内側へ力が入ることによって引き締まる。
【図面の簡単な説明】
【０００５】
【図１】本発明の斜視図である。
【発明を実施するための形態】
【０００６】  左右の足の膝上や脹脛など太さによって調節できるベルトに、足の内側に位置する面にマジックテープや磁石などのような足を固定でき、外側に力を加えれば解かれるものを取り付ける。
【符号の説明】
【０００７】１、ベルト
２、固定するもの
【図１】
2013244395.tif 000003
(57)【要約】【課題】下駄作りの難しさを取り除くことを提供する。【解決手段】材料と備品の入手も含め、ノコギリの直線挽きだけで成形できるよう配置のレイアウトを考慮し、そして切込みやドリルでの穴あけを施したところを特徴とする。またその切込みがまっすぐ鋸を引くためのガイドにもなるので、工作初心者にでもちゃんと履ける下駄が作れるように、難しさを取り除いた。【選択図】図２
2013244392.tif 000002
【特許請求の範囲】
【請求項１】
直方体の木材の塊に下駄の右足左足が並行に配置され、左右対称の軸となる（１）（１９）には工作初心者でも、鋸が曲がらないように鋸のガイドになる切込みを設けた。それによって、かんたんに左右対称と垂直水平が成形することができた。さらに（２）（３）（４）（５）（６）（７）（８）で設けた切込みが、まっすぐできれいなラインを成形するガイドの役割を果たした。工作者の手間を省くため、通常ドリルを使う部分（９）（１０）（１１）（１２）（１３）（１４）（１５）（１６）に穴あけ処理を施した。鼻緒やその他の備品も同梱し簡単に下駄が作れる本発明が、ほぼノコギリだけで作る下駄工作キット。
【発明の詳細な説明】
【技術分野】
【０００１】この発明は、少ない道具と技術で手軽に下駄を作ることができる・・・ほぼノコギリだけで作る下駄工作キットに関するものである。
【背景技術】
【０００２】従来、下駄を作るにはたくさんの道具と技術を要した。一般的には材料の入手も困難で、個人で作るのにはハードルが高かった。
【発明の概要】
【発明が解決しようとする課題】
【０００３】今までは下駄は職人さんが作るもの、こういう概念が一般的であります。通常下駄職人が木材の塊から一足の下駄を作るときは木のロスを少なくするためか、下駄の歯をかみ合わせるような形で切出すようですが、そのやり方では、一般の方が作っても左右の高さが違って垂直水平がとれず、「難しい」となるが欠点でした。道具もたくさんいるし、技術も必要と思われているところと、材料の入手困難なところに課題があります。
【課題を解決するための手段】
【０００４】課題を解決するために
（イ）左右の下駄を横に並べるような形で配置し、切り離した時に左右の高低差が生じないように、また垂直水平になるように直方体の木材ブロックを成形しました。
（ロ）鋸を入れるとき曲がってしまわないようにあらかじめ切込みをつくりました。
（ハ）ドリルを使わずに済むように主要部分の穴あけを施しました。
（ニ）製作手順を示すことによって、直線挽きだけで簡単に左右対称、垂直水平の下駄を工作することを可能にしました。
（ホ）工作手順書や鼻緒など他の備品も同梱しています。
本発明は、以上の構成よりなる、ほぼノコギリだけで作る下駄工作キットである。
【発明の効果】
【０００５】直線挽きだけで作る下駄のキットは今までに無い革新的な物なのでで、手軽に下駄製作が楽しめます。また伝統文化的なものにふれる機会を与えるものです。例えば子供さんのためにお父さんやおじいちゃんなどが一緒に作ってあげると、コミュニケーションを深める機会にもなります。また、下駄を履いてゆっくり歩く、そんなのんびりとした時間を過ごしてもらいたいです。そんな機会が増えればと思います。
【図面の簡単な説明】
【０００６】
【図１】本発明の斜視図（表）である。
【図２】本発明の斜視図（裏）である。
【発明を実施するための形態】
【０００７】以下、本発明を実施するための形態について説明する。
左右を分割するための軸として点線（１）に切込み処理をする。
同じく（２）（３）（４）（５）（６）（７）（８）の点線の部分に切込み処理をする。
穴（９）（１０）は（１７）を切り外すための切込み（８）に鋸が入るようドリルで貫通させる。
（１１）（１２）（１３）（１４）（１５）（１６）は鼻緒をすげるための穴なので、貫通させない。
（１）（２）（３）（４）（５）（６）（７）（８）（１９）の点線の部分の切込みは鋸をまっすぐに入れるためのガイドの役割を果たすものなので、切り離さない。
（１）＝（１８）の線は最後に切り離してもらうため、注意喚起のため彩色処理します。
本発明は、以上のような構造である。
【符号の説明】
【０００８】（１）  鋸のガイドになる切込み処理をする箇所
（２）  鋸のガイドになる切込み処理をする箇所
（３）  鋸のガイドになる切込み処理をする箇所
（４）  鋸のガイドになる切込み処理をする箇所
（５）  鋸のガイドになる切込み処理をする箇所
（６）  鋸のガイドになる切込み処理をする箇所
（７）  鋸のガイドになる切込み処理をする箇所
（８）  鋸のガイドになる切込み処理をする箇所
（９）  貫通処理するドリル穴あけ箇所
（１０）  貫通処理するドリル穴あけ箇所
（１１）  貫通させないドリル穴あけ箇所
（１２）  貫通させないドリル穴あけ箇所
（１３）  貫通させないドリル穴あけ箇所
（１４）  貫通させないドリル穴あけ箇所
（１５）  貫通させないドリル穴あけ箇所
（１６）  貫通させないドリル穴あけ箇所
（１７）  最終的には切り外す箇所で、ドリル穴（９）（１０）を説明するために作った符号です。
（１８）  （１）の切込み線に目立つ色で彩色処理します。
（１９）  鋸のガイドになる切込み処理をする箇所
【図１】
2013244392.tif 000003
【図２】
2013244392.tif 000004
(57)【要約】      （修正有）【課題】排便時消音・消臭となり何処の場所においても他に気兼ねなく排便が可能であり、又、廉価でかつ簡便で汎用性にも優れている便座装置を提供する。【解決手段】既設の便座に乗せることのできる発泡スチロール便座１に、筒状トイレットペーパ２の挿入用の孔を形成し、この孔に筒状トイレットペーパ２を挿入し、止ったところで傘状に広げ、筒状トイレットペーパ２の中に排便できるようにした。【選択図】図１
2013244389.tif 000002
【特許請求の範囲】
【請求項１】
会社や特に小規模事務所等でトイレの使用音や異臭を気付かせないように一瞬のうちに水の流れと共に吸い込ませてしまうトイレ便座装置である。
この便座を使用することにより気兼ね無く用を足すことることを目的にした装置である。
【請求項２】
この便座は使用する時に発泡スチロール便座を便器にセットし、上面の孔から消音消臭筒状トイレットペーパを挿入し止ったとこで傘状に広げお尻で挟み込むように座り、用を足す。器内はほぼ外部と遮断されており、便及び音はトイレットペーパに吸収されトイレ周辺に気を使うことなく用を足すことができる。
用を足した直後にお尻を上げて水を流すことにより、湿り気で重くなったトイレットペーパは流す水の勢いで便器に臭いと共に吸い込ましてしまう便座装置である。
【請求項３】
この筒状トイレットペーパは先が細くなっているので、トイレに詰まることなく又先から引っ張られることにより便を包み込むようにしてスムーズに流れるトイレットペーパである。
【請求項４】
一度用を足し流した後再度便意を催したら前記のようにしたトイレットペーパをセットする便座装置である。
【請求項５】
用を足した後の処置及び小用の場合は、この便座を外すことにより通常通りに既設便座使用可能である。
【発明の詳細な説明】
【技術分野】
【０００１】本発明は快適なトイレ使用を可能にした便座装置に関する。
【背景技術】
【０００２】使い慣れた家庭のトイレのように会社等他の場所にても気兼ねなくトイレ使用ができれば、ちょっと待てよ家に帰ってからしよう・・・等と我慢することもなくなり健康面からも気兼ねなく使用できるトイレが要望されている。【０００３】ところが、トイレの便器そのものでは音、臭は現状では防音、防臭及び芳香剤等に限られており、かなりの消音、消臭にまでは至っていないためトイレ使用時、何かと気を使う。【０００４】こうした問題を解決し、便座をセットし筒状トイレットペーパを孔に落とし手で広げて座るだけで思い切り用を足すことができるので気分爽快になる。【０００５】しかも日々使うとなれば廉価な品であることが望まれるのでトイレットペーパを筒状に巻き付けただけの簡単構造なのだから生産性もある。
【先行技術文献】
【特許文献】
【０００６】文献では消臭、消音マット等もしくは消臭剤，芳香剤の収録を見るも類品確認できず。
【特許文献１】
【特許文献２】
【非特許文献】
【０００７】
【非特許文献１】
【非特許文献２】
【発明の概要】
【発明が解決しようとする課題】
【０００８】しかしながら、従来の技術は高度な防音、防臭には敏感ではあるが消音、消臭にまでは万全とは言い難く直後では臭気も残る。また、日々使用する消耗品であることからこそ高価格であってはならないし、簡単明瞭かつ廉価な品である必要がある。【０００９】本発明は、このような従来の技術が有する問題点に着目してなされたもので、簡単構造ゆえにセットも容易であり、身体及び精神的健康面からも我慢等による苦痛が無くなるだけでも日々快適に生活ができ、安価に製造し提供することを目的としている。
【課題を解決するための手段】
【００１０】かかる目的を達成するための本発明の要旨とするところは、従来より通常使用している既設トイレになんら手を加えることなく、廉価な品であり通常便座に乗せるだけでセットが完了する便座装置。
【発明の効果】
【００１１】静まり返った場所等で用を足すことに気を使うことがなくなる。
体調の悪い時ほど気兼ねなくトイレを使用したいものではあるが、音とか臭気に気を使うことがなくなるだけでも、精神衛生上において非常に良く体調不良さえ早期に克服できる。
【図面の簡単な説明】
【００１２】
【図１】本発明の一実施の形態に係る便座装置の全体図を示します。本発明の便座及び筒状トイレットペーパを既設便座にセットした時の断面を示す。本発明の筒状トイレットペーパを広げた状態、断面を上から見た図を示す。
【図２】本発明の一実施の形態に係る便座の概観及びペーパ挿入用の孔形状を示します。
【図３】本発明の一実施の形態に係る筒状トイレットペーパの形状を示します。日常使用しているＷのトイレットペーパを円錐形に２５〜３０枚軽く重ね合せ、上方のラッパ状部分にはスリットを入れより広げ易くする。筒状の内には４〜５枚程度の皺だらけのティシュペーパを上方から落とし込み消音剤として利用し、筒との一体構造。
【図４】本発明の一実施の形態に係る筒状トイレットペーパを便座に挿入した状態を示します。
【図５】本発明の一実施の形態に係る筒状トイレットペーパを便座上で広げた状態を示します。この広げたペーパはお尻を据えた時により便器内と遮断にも役立つ。
【発明を実施するための形態】
【００１３】本発明は一家庭もしくは気兼ねすることもないような場合は除いて、使用されるならば消音、消臭構造の観点からして社会性は充分にあります。
【実施例】
【００１４】本発明は会社や事務所等もしくは気兼ねするような場所ではより利用範囲はあります。
【産業上の利用可能性】
【００１５】日常使用される物であっって構造的にもシンプルで大量生産性からみても安価に社会提供できる。
排便に伴う躊躇がなくなり、精神的にも身体健康面からしても大いに役立つ便座である。
【符号の説明】
【００１６】１・・・発泡スチロール便座
２・・・筒状トイレットペーパ
３・・・消音用トイレットペーパ
４・・・市販用トイレ便器
５・・・市販用トイレ便座
【図１】
2013244389.tif 000003
【図２】
2013244389.tif 000004
【図３】
2013244389.tif 000005
【図４】
2013244389.tif 000006
【図５】
2013244389.tif 000007
(57)【要約】【課題】従来、複数の突起物により身体を刺激するための器具は一般的な足の裏の形状や腰の形状、または首等の形状に対して各々突起物の配置がおおよそ決まっており、それぞれの対応部位にしか使用できなかった。また、刺激の強さと位置は突起物の形状や配置によって決まるため使用する際の気分に合わせて刺激の強さと位置を調整することは出来なかった。本発明は以上のような欠点をなくすための可変式つぼ刺激用器具を提供する。【解決手段】突起部材と、その突起が設置されるベース部材から成り、互いを脱着出来る仕組みが施されていることを特徴とする可変式つぼ刺激用器具。【選択図】図１
2013244387.tif 000002
【特許請求の範囲】
【請求項１】
ひと山単位の突起部材と、その突起が設置されるベース部材から成り、互いを脱着出来る仕組みが施されている可変式つぼ刺激用器具。
【発明の詳細な説明】
【技術分野】
【０００１】本発明は身体のつぼを刺激する突起物の並び方を使用者の好みに合わせて変化させることが出来る可変式つぼ刺激用器具に関するものである。
【背景技術】
【０００２】従来、複数の突起物による身体のつぼを刺激するための器具は、例えば足の裏用であれば一般的な足の裏の形状に合わせて突起物を配置し、また、首用であれば一般的な首の形状に合わせて突起物を配置していた。
【先行技術文献】
【０００３】
【特許文献１】特開２００１−２４５９５４
【発明の概要】
【発明が解決しようとする課題】
【０００４】従来、複数の突起物により身体を刺激するための器具は一般的な足の裏の形状や腰の形状、または首等の形状に対して各々突起物の配置がおおよそ決まっており、それぞれの対応部位にしか使用できなかった。また、刺激の強さと位置は突起物の形状や配置によって決まるため使用する際の気分に合わせて刺激の強さと位置を調整することは出来なかった。本発明は以上のような欠点をなくすためになされたものである。
【課題を解決するための手段】
【０００５】突起部材と、その突起が設置されるベース部材から成り、互いを脱着出来る仕組みが施されている。以上の構成による可変式つぼ刺激用器具。
【発明の効果】
【０００６】突起とベースが脱着できるため、ベースに設置する突起の形状や配置を使用する身体の部位形状に合わせて選択することが出来る。また、ベースに設置する突起の数量を減らして個々の間隔を広げれば、ひとつの突起による身体に与える圧力がより集中し、刺激を強める事が出来る。敏感な部分には鈍角な突起を使用し、鈍感な部分には鋭角な突起を使用する等の調整も可能である。
【図面の簡単な説明】
【０００７】
【図１】  本発明の斜視図
【図２】  本発明の平面図
【図３】  本発明の断面図
【図４】  本発明の一部分拡大図
【発明を実施するための形態】
【０００８】（イ）形状の異なる数種類の突起部材（１）とベース部材（２）からなる。
（ロ）突起部材（１）とベース部材（２）にそれぞれを脱着可能にする仕組み（３）を設ける。
【符号の説明】
【０００９】１  突起部材
２  ベース部材
３  脱着可能にする仕組み
【図１】
2013244387.tif 000003
【図２】
2013244387.tif 000004
【図３】
2013244387.tif 000005
【図４】
2013244387.tif 000006
(57)【要約】【課題】パターを各自のフォームに合った適切な角度にすればスムーズなスイングができカップインの確率が上がる。そこでパターの角度調整を行うにはネック部を曲げることが必要で作業には技術者が特殊治具を使用して行い費用も掛かる。【解決手段】何時でも自分自身で簡単にネジどめすることで角度調整が可能なパター提供する。【選択図】図１
2013244388.tif 000002
【特許請求の範囲】
【請求項１】
ゴルフパターに関しライ角度調整が簡単で微細な角度調整ができることを特徴とする。
ライ角度の調整はシャフト取付け部分とパター本体を分離して複数の部品を構成する。
シャフト取付け部品は中心穴及び中心より離した位置に複数の穴又は、突起部を分散して設けるシャフトの角度とそれを固定する角度の角度差を利用すると目盛巾が広がり微細な角度調整ができる。
又、本体部に複数のネジ穴を設け角度調整後にシャフト取り付け部品を複数のネジを用いて接合させる構造である。
【請求項２】
ゴルフパターに関しライ角度の可動範囲の設定はシャフト取付け部品側又は、本体側にピン状の突起部を設ける。
相手側には枠を設けてピンが枠内でのみ可動でき、しかも枠の型によって可動範囲が制御可能な装置である。
【発明の詳細な説明】
【技術分野】
【０００１】      本発明は、ゴルフパターのライ角度調整装置及び可動範囲設定機能付きゴルフパターを提供する。
【背景の技術】
【０００２】      ゴルフパターの角度調整において従来方法はパターを角度測定器付専用の台座に固定し角度を計りながら特殊治具を使用し手動操作でシャフト又は、ネック部を曲げて調整していた。
【発明の概要】
【発明が解決しようとする課題】
【０００３】      ゴルフパターの角度調整する場合には調整箇所のシャフト又は、ネック部を曲げて調整する必要がありそれには専門技術が要求されしかも複数回の調整は強度的にも難事である。
そこで特殊治具を使用しないで容易に角度調整が可能な方法が望まれている。
【課題を解決するための手段】
【０００４】      ゴルフパターのシャフト取り付け部分と本体部分を分離させる。
ライ角度設定後にシャフト取り付け部品と本体を複数のネジ又は、ピン用いて固定する。
シャフト取り付け部品には微細なライ角度の調整を確保するため中心部よりできるだけ遠くにしかも複数の穴に分散することで設定目盛が広がり角度設定が容易にできる装置とした。
又、角度の可動範囲調整のためピン状の突起物と枠を設けてピンの動きが枠内に限定できるよう可動範囲調整装置を提供する。
【発明の効果】
【０００５】    ゴルフプレイヤーに対してライ角度の合ったパターが技術の向上につながるが、オーダーメイドするには高価なものとなる。
【図面の簡単な説明】
【０００６】
【図１】本発明の実施例装置を示す後方の斜視図である。
【図２】本発明の実施例装置を示す正面の断面図である。
【図３】本発明の実施例装置を示す正面の斜視図である。
【符号の説明】
【０００７】１．    シャフト調整角度
２．    シャフト調整角度
３．    シャフト調整角度
４．    シャフト調整角度
５．    シャフト調整角度
６．    シャフト調整角度
７．    シャフト調整角度
８．    シャフト固定ネジ穴
９．    シャフト固定ネジ穴
１０．  シャフト固定ネジ穴
１１．  シャフト固定ネジ穴
１２．  シャフト固定ネジ穴
１３．  シャフト固定ネジ穴
１４．  シャフト固定ネジ穴
１５．  シャフト取付け部品
１６．  シャフト調整角度
１７．  シャフト固定角度
１８．  シャフト
１９．  パター本体
２０．  調整用枠
２１．  可動範囲
２２．  パター本体の固定ネジ穴
２３．  パター本体の固定ネジ穴
２４．  パター本体の固定ネジ穴
２５．  パター本体の固定ネジ穴
２６．  パター本体の固定ネジ穴
２７．  パター本体の固定ネジ穴
２８．  パター本体の固定ネジ穴
２９．  ピン
【発明を実施するための形態】
【０００８】以下、図面に基づいて、本発明の実施形態であるライ角度調整及び可動範囲調整装置付きパターについて説明する。
図１は、本発明の実施形態であり後方の斜視図となっており、パター本体１９にシャフト取付け部品１５が接合された状態である。
シャフト１８を例えばシャフト固定穴８に合わせてネジを締めるとあらかじめ設定されたライ角度に固定される。
同じ要領でシャフト固定穴９〜１４まで設定が可能である。
【０００９】図２は実施形態の正面の説明図である。
シャフト取付け部品１５に設けられた複数のネジ穴がシャフト固定角度１７とシャフト調整角度１６の角度差を現している。
例えばシャフト固定ネジ穴８からシャフト固定ネジ穴９に到る広いピッチ間を移動させてもシャフト調整角度１からシャフト調整角度２への微細な移動となる、このことはシャフト固定ネジ穴８からシャフト固定ネジ穴９へ到る広いピッチでの移動に見えるがこれは錯覚を利用しており実際はパター本体１９側に設けてあるパター本体ネジ穴２３への微細な移動である。
同様に繰り返えすことでシャフト固定ネジ穴１０からシャフト固定ネジ穴１４までの設定が可能である。
【００１０】図３は実施形態の正面の斜視図である。
シャフト取付け部品１５に設けたピン２９が調整用枠２０の可動範囲２４でのみ動ける様子を現している。
【図１】
2013244388.tif 000003
【図２】
2013244388.tif 000004
【図３】
2013244388.tif 000005
(57)【要約】      （修正有）【課題】従来のブレードラバーは、雨やウォッシャー液等の液体などの排除、塗布等が目的で、形状も固定化されていることから、ブレードラバー形状を見直し、多目的な運用を可能にする。【解決手段】ブレード本体１に複数のブレード５を設け、ブレード本体１に吸排気装置と連通させた空間３を形成し、複数のブレード５間に空間３から対象面１０に向けたベルマウス（ノズル）４を配設し、ベルマウスを介して液体の噴射及び吸引を可能にする。【選択図】図１
2013244954.tif 000002
【特許請求の範囲】
【請求項１】
中心部に流体が流通可能な空洞を保持したブレード本体が、可変可能なヨークに取り付けられ、ブレード本体に複数あるブレードラバー間に、流体が噴射、吸引可能なベルマウスを設けたブレードラバーが、使用する対象物に応じて、剥離、塗布、吸引、噴射等が可能な空洞、ベルマウス、通気管と連通した事を特徴とする多目的ブレード。
【発明の詳細な説明】
【技術分野】
【０００１】本発明はブレードに関するものである。
【背景技術】
【０００２】ブレードは、拭き取る等限られた分野で使用され、以下の出願文献がある。
【先行技術文献】
【０００３】
【特許文献１】特開  Ｈ９−１６４９１６
【特許文献２】特開  ２００３−１２７８３９
【発明の概要】
【発明が解決しようとする課題】
【０００４】従来のブレードは、対象物の表面にあるか又は噴射された液体等を単に滑らかにするか、剥離等の目的であった。本発明は、ブレードにより以上の機能を持たせるものである。
【課題を解決するための手段】
【０００５】ブレードの性能向上の為に、ブレードの支持中心部に空洞を設け、ブレードの接触部分を複数配置し、複数ブレードの間に、噴射、吸引用のノズルを設け、流体機器と連通させ、噴射、吸引等の効果を上げるために、複数ブレード間に空間幕カーテン１１を設けた。
【発明の効果】
【０００６】多目的ブレードは、対処物に接するブレードが複数あるために、ブレード間に大気圧と若干異なる気圧の空間が可能になり、ブレード間に空気の連通口を設け噴射、吸引が効果的に行われる。複数ブレードによる圧着剥離効果倍増と合わせ相乗効果が期待できる。
【図面の簡単な説明】
【０００７】
【図１】  多目的ブレードの断面図
【図２】  ブレードの側面図
【発明を実施するための形態】
【実施例】
【０００８】ブレード本体１は、ヨーク２と接する上部に固定の突起部８と、下方には複数のブレード５を保持し、ブレード間に気体を流通させるためのノズル４兼ベルマウスを設け、前記ブレード本体１の空間３の端部は通気管７と連通されている。【０００９】ブレード１が接する対象物に順応できるヨーク２と弾性材等で保持された、複数のブレード５は、通常のブレードの枚数は単数であるために、複数のブレードの効果は明らかである。多目的ブレード５はブレード間に気体、液体、紛体用の流体吸引噴射のベルマウス４が配置されている。この複数個のブレード５により、大気と隔離した状態が確保され、吸引の場合には、ブレード空間９と対象物１０とで形成された空間内での効果がえられる。【００１０】
【産業上の利用可能性】
【００１１】本発明は、ブレードの利用範囲を拡大し、作業性をあげ、使用する範囲も広範囲となる。
主たる自動車の窓、布製品等以外に、傘の水滴取り等、他の分野にも利用可能である。
【符号の説明】
【００１２】１          ブレード本体
２          ヨーク
３          空間
４          ベルマウス（ノズル）
５          ブレード
６          取り付け孔
７          通気管
８          突起物
９          ブレード空間
１０        対象物
１１        カーテン
【図１】
2013244954.tif 000003
【図２】
2013244954.tif 000004
(57)【要約】      （修正有）【課題】粉薬を入れた袋は開封しても、袋が開けにくいため、なかなか薬を出し難い。手先が鈍っている老人は特に出しにくい薬を袋から出し安くする。【解決手段】袋を開けやすくする為に、開封後すぐに、手を使わずとも、袋の中身が出やすいように、反発磁気テープイを、開封箇所二のすぐの所に付けて、袋自身が独りで開くようにした。特に子供や老人や病人が使う袋に、反発磁気テープイを取り付ければ、開封後手間をかけることがなく、袋の中身を取り出すことが出来る。【選択図】図１
2013244975.tif 000002
【特許請求の範囲】
【請求項１】
密封袋で開封線に沿って袋を切り開いた後の本体部分の開封線の、すぐの所に磁気を帯びさせた反発磁気テープを取り付け、磁気テープ同士が反発するように、対に成るように袋に貼り付け（内側でも、外側でも良い）て、開封後すぐに袋が磁気テープの反発作用によって開く、楽々開く袋。
【請求項２】
請求項１で、中身の入った密封袋で、袋の開封線のすぐの所に、開封線に沿って一周させた反発作用の磁気テープの作用によって袋が、中身が出やしいように開く、楽々開く包袋。
【請求項３】
請求項１で、密封の袋を開封すると同時に反発作用の磁気テープを部分的に取り付けることにより、袋の中身が出しやしいように開く、楽々開く袋。
【請求項４】
請求項１で、密封の袋を開封すると同時に反発作用の磁気テープに芯を入れることによって磁気テープの効果が増し、丈夫な袋の中身が出やしいように開く、楽々開く袋。
【請求項５】
請求項１で、袋の素材や大きさに関係なく、反発作用の磁気テープの作用によって袋の中身が出すやしい、楽々開く袋。
【請求項６】
請求項１で、袋の中身に関係なく、反発作用の磁気テープの作用によって袋の中身が出すやしい、楽々開く袋。
【発明の詳細な説明】
【技術分野】
【０００１】
本発明は、物を入れる袋に関するものである。
【背景技術】
【０００２】
袋から物を出す安くする技術。
【先行技術文献】
【特許文献】
【０００３】
【特許文献１】特開２００８―２３８２８２
【発明の概要】
【発明が解決しようとする課題】
【０００４】
一例を挙げれば、粉薬を入れた袋は開封しても、袋が開けにくいため、なかなか薬を出し難い。手先が鈍っている老人は、特に出しにくい中身を、袋から薬を出し安くする。
【課題を解決するための手段】
【０００５】
袋を開けやすくする為に、開封後すぐに、手を使わずとも、袋の中身が出やすいように、反発磁気テープを、開封箇所のすぐの所に付けて、袋自身が独りで、開くようにした。
【発明の効果】
【０００６】
反発磁気テープを、開封箇所のすぐの所に付けて、袋自身が独りで開くようにしたことによって、中身を簡単に取り出すことが出来る。
【図面の簡単な説明】
【０００７】
【図１】反発磁気テープを、開封箇所のすぐの所の全線に入れた状態の図面。
【図２】反発磁気テープを、開封箇所のすぐの所の部分線に入れた状態の図面。
【図３】反発磁気テープにそって、真ん中に芯を入れている状態の図面。
【発明を実施するための形態】
【０００８】
袋の開封箇所線のすぐの所に沿って、反発磁気テープを、袋に取り付ける
【実施例】
【０００９】
袋に反発磁気テープを、袋に取り付ければ、開封後手間をかけることがなく、特に子供や老人や病人が、容易に袋の中身を取り出すことが出来る。
しかし、テープを付けることにより、密封状態が阻害されることのないように、工夫を必要とする。
【産業上の利用可能性】
【００１０】
開封しても、中身が取り出すことを、容易にしたい袋に、楽々開く袋を利用してもらいたい。
【符号の説明】
【００１１】
イ  反発磁気テープ
ロ  袋本体
ハ  袋の開封破片
二  袋の開封箇所
ホ  芯
【図１】
2013244975.tif 000003
【図２】
2013244975.tif 000004
【図３】
2013244975.tif 000005
【手続補正書】
【提出日】平成24年5月29日(2012.5.29)
【手続補正１】
【補正対象書類名】明細書
【補正対象項目名】全文
【補正方法】変更
【補正の内容】
【発明の詳細な説明】
【技術分野】
【０００１】
本発明は、物を入れる袋に関するものである。
【背景技術】
【０００２】
袋から物を出し易くする技術。
【先行技術文献】
【特許文献】
【０００３】
【特許文献１】特開２００８―２３８２８２
【発明の概要】
【発明が解決しようとする課題】
【０００４】
一例を挙げれば、粉薬を入れた袋は開封しても、袋が開けにくいため、なかなか薬を出し難い。手先が鈍っている老人は、特に出しにくい中身を、袋から薬を出し易くする。
【課題を解決するための手段】
【０００５】
袋を開けやすくする為に、開封後すぐに、手を使わずとも、袋の中身が出やすいように、反発磁気テープを、開封箇所のすぐの所に付けて、袋自身が独りで、開くようにした。
【発明の効果】
【０００６】
反発磁気テープを、開封箇所のすぐの所に付けて、袋自身が独りで開くようにしたことによって、中身を簡単に取り出すことが出来る。
【図面の簡単な説明】
【０００７】
【図１】反発磁気テープを、開封箇所のすぐの所の全線に入れた状態の図面。
【図２】反発磁気テープを、開封箇所のすぐの所の部分線に入れた状態の図面。
【図３】反発磁気テープにそって、真ん中に芯を入れている状態の図面。
【発明を実施するための形態】
【０００８】
袋の開封箇所線のすぐの所に沿って、反発磁気テープを、袋に取り付ける
【実施例】
【０００９】
袋に反発磁気テープを、袋に取り付ければ、開封後手間をかけることがなく、特に子供や老人や病人が、容易に袋の中身を取り出すことが出来る。
しかし、テープを付けることにより、密封状態が阻害されることのないように、工夫を必要とする。
【産業上の利用可能性】
【００１０】
開封しても、中身が取り出すことを、容易にしたい袋に、楽々開く袋を利用してもらいたい。
【符号の説明】
【００１１】
イ  反発磁気テープ
ロ  袋本体
ハ  袋の開封破片
二  袋の開封箇所
ホ  芯
【手続補正２】
【補正対象書類名】特許請求の範囲
【補正対象項目名】全文
【補正方法】変更
【補正の内容】
【特許請求の範囲】
【請求項１】
密封袋で開封線に沿って袋を切り開いた後の本体部分の開封線の、すぐの所に磁気を帯びさせた反発磁気テープを取り付け、磁気テープ同士が反発するように、内側でも外側でも、対に成るように袋に貼り付けて、開封後すぐに袋が磁気テープの反発作用によって開く、楽々開く袋。
【請求項２】
請求項１で、中身の入った密封袋で、袋の開封線のすぐの所に、開封線に沿って一周させた反発作用の磁気テープの作用によって袋の、中身が出し易いように開く、楽々開く包袋。
【請求項３】
請求項１で、密封の袋を開封すると同時に反発作用の磁気テープを部分的に取り付けることにより、袋の中身が出し易いように開く、楽々開く袋。
【請求項４】
請求項１で、密封の袋を開封すると同時に反発作用の磁気テープに芯を入れることによって磁気テープの効果が増し、丈夫な袋の中身が出し易いように開く、楽々開く袋。
【請求項５】
請求項１で、袋の素材や大きさに関係なく、反発作用の磁気テープの作用によって袋の中身が出し易い、楽々開く袋。
【請求項６】
請求項１で、袋の中身に関係なく、反発作用の磁気テープの作用によって袋の中身が出し易い、楽々開く袋。
(57)【要約】【課題】小麦粉と米粉とそば粉の風味と旨味を有するとともに、特徴のある食感を有し、なおかつ老化の遅い食パンの製造方法を提供する。【解決手段】米粉とそば粉と砂糖と塩と水で製造した中間生地（湯捏種）を食パンの最終生地に加え、常法により発酵させて焼成し食パンを製造することを特徴とする。【特許請求の範囲】
【請求項１】
（イ）米粉約３００ｇとそば粉約１００ｇの割合に砂糖と塩を少量加え４０℃の温水を加えて攪拌し、その後７０℃の温水を加え、加熱しながら攪拌をつづけ中間生地の温度を８０℃〜１００℃まで上昇させる工程。
（ロ）１０℃〜４０℃に調整した中間生地を最終生地に加える工程。
（ハ）最終生地を常法にて発酵させて焼成する工程を特徴とする食パン類及び菓子パンの製造方法。
【請求項２】
電子レンジ等の加熱方法を用いて行う請求項１の製造方法。
【発明の詳細な説明】
【発明の詳細な説明】
【技術分野】
【０００１】この発明は、小麦粉と米粉とそば粉を主原料とする、食パン類及び菓子パンの製造方法に関するものである。
【背景技術】
【０００２】従来小麦粉や米粉に沸騰した熱湯を加えて混捏することにより、中間生地（湯捏種）を作る方法がある。
また、小麦粉や米粉に常温の水を加え加熱しつつ混捏することにより、中間生地（湯捏種）を作る方法もある。
このようにして作られた中間生地（湯捏種）を、最終生地を混捏する時に加える事により、もっちりとした食感を有する食パン類及び菓子パンを作ることができる。
【発明の開示】
【発明が解決しようとする課題】
【０００３】しかしながら、このようにして作られた中間生地（湯捏種）を利用することにより製造された食パンは、焼成後に食パンが潰れるというケービング現象を起こしやすくなる。
そこで、もっちりとした食感を有しパン全体としてケービング現象がなく、均質な食パンの製造方法が望まれていた。
【課題を解決する為の手段】
【０００４】上記目的を達成するものは、以下のものである。
本発明のパンの製造方法は、米粉とそば粉と水とで作った中間生地（湯捏種）を、最終生地に添加することにより達成することができる。
【発明の効果】
【０００５】本発明の食パンの製造方法によれば、もっちりとした食感を有し、パン全体としてケービング現象がなく、均質な食パンを作ることができた。
【０００６】さらに、そば粉特有の風味と旨味と食感を有し、老化の遅い食パン類及び菓子パンとなった。
【発明を実施するための最良の形態】
【０００７】本発明のパン類の製造方法について説明する。
本発明のパン類の製造方法の特徴は、米粉とそば粉と砂糖と塩と水で作った中間生地（湯捏種）にある。【０００８】中間生地（湯捏種）の製造には、米粉とそば粉と砂糖と塩と水が使用される。
最初に米粉３００ｇ、そば粉１００ｇ、砂糖２４ｇ、塩８ｇ、４０℃の温水４００ｇを攪拌する。そこへ７０℃の温水１６００ｇを加え、さらに攪拌する。
その後攪拌しながら、熱を加え中間生地（湯捏種）の温度が８０℃以上になれば出来上がりとなる。【０００９】出来上がった中間生地（湯捏種）はおおむね１０℃〜４０℃の温度に調整してから最終生地に加える。
その後、通常のパン類の製造方法と同様に、発酵された後に焼成する。これにより、これまでになかった特徴を有したパン類が得られる。
尚、そば粉入りの中間生地（湯捏種）を作ることなく、生のままそば粉を最終生地に加えても、課題を解決することはできない。
【実施例１】
【００１０】本発明の中間生地（湯捏種）の製造方法の実施形態を説明する。
最初に米粉３００ｇ、そば粉１００ｇ、砂糖２４ｇ、塩８ｇ、４０℃の温水４００ｇを攪拌する。そこへ７０℃の温水１６００ｇを加え、さらに攪拌する。
その後攪拌しながら、熱を加え中間生地（湯捏種）の温度が８０℃以上になれば中間生地の出来上がりとなる。【００１１】中間生地（湯捏種）の温度をおおむね１０℃〜４０℃に調整してから最終生地に加える。【００１２】この実施例は、製造方法をストレート法（直捏法）に適用したものである。
最終生地の製造方法を説明する。
小麦粉１００００ｇ、砂糖６００ｇ、塩２００ｇ、粉乳１００ｇ、油脂５００ｇ、Ｌ−アスコルビン酸０．８ｇ、生イースト２６０ｇ、中間生地（湯捏種）２３００ｇ、水５８００ｇの材料を低速にて３分、高速にて１４分混捏し、生地の捏上温度を２６．５℃〜２７．５℃に調整する。【００１３】出来上がった最終生地は、常法により発酵させて焼成し食パンを製造する。
【実施例２】
【００１４】（最終生地の原料配合）
小麦粉                  １００％
砂糖                        ６％
塩                          ２％
粉乳                        １％
油脂                        ５％
生イースト              ２．６％
水                        ５８％
Ｌ−アスコルビン酸  ０．００８％
中間生地                  ２３％
中間生地の原材料は、米粉３％、そば粉１％、砂糖０．２４％、塩０．０８％、水２０％である。
製造方法は、［０００８］と同様の方法である。
製造した最終生地は、通常のパン類の製造方法と同様に、発酵された後に焼成した。
【比較例１】
【００１５】（最終生地の原料配合）
小麦粉                  １００％
砂糖                        ６％
塩                          ２％
粉乳                        １％
油脂                        ５％
生イースト              ２．６％
水                        ５８％
Ｌ−アスコルビン酸  ０．００８％
中間生地                  ２３％
中間生地の原材料は、米粉３％、小麦粉１％、砂糖０．２４％、塩０．０８％、水２０％である。
製造方法は、［０００８］と同様の方法である。
【００１６】上記［００１４］と［００１５］を比較すると、組成成分が小麦粉とそば粉の違いによって以下の結果となった。
2013244013.tif 000002
評点基準
５・・・・・極めて良い
４・・・・・良い
３・・・・・普通
２・・・・・悪い
１・・・・・極めて悪い
【００１７】上記結果より、小麦粉をそば粉に変えることで、ケービング現象を抑制し多くの項目において改善が見られた。これにより実施例２の組成成分の食パンの優位性が証明された。
また、菓子パンにおいても、同様の結果が得られた。
【参考文献】
【００１８】特許第３０８０３６８号
(57)【要約】【課題】この発明は麺の腰を長持ちさせる事に関する。【解決手段】ラーメン、カップ麺、チキンラーメン、乾燥麺、うどん、焼きそば、焼きうどんなど麺食品全般が対象で太さの異なる麺を一玉一人前とする事で腰長持ち麺となる。【選択図】図１
2013244011.tif 000002
【特許請求の範囲】
【請求項１】
ラーメン、カップ麺、チキンラーメン、乾燥麺、うどん、焼きそば、焼きうどんなど麺食品全般が対象で、太さの異なる麺を一玉一人前とする事で腰長持ち麺となる。
【発明の詳細な説明】
【技術分野】
【０００１】この発明は、麺の腰を長持ちする事に関する。
【背景技術】
【０００２】従来は一玉一人前の麺は同じ太さである。
【発明の概要】
【発明が解決しようとする課題】
【０００３】麺が同じ太さだから同時にのびて、同時に麺の腰がなくなる。
【課題を解決するための手段】
【０００４】ラーメン、カップ麺、チキンラーメン、乾燥麺、うどん、焼きそば、焼きうどんなど麺食品全般が対象で太さの異なる麺を一玉一人前とする事で腰長持ち麺となる。
【発明の効果】
【０００５】麺を異なる太さにする事で同時にのびず腰も残る。
【発明を実施するための最良の形態】
【０００６】厚さが一定で幅を少しずつ広げ太さを変え熱湯で湯がいた場合、麺の中心部への湯の浸透速度の速い細麺、遅い太麺
（１）の麺がのび始めた頃、（２）の麺は（１）の麺の少し前の状態にあり（３）の麺は（２）の麺のさらに少し前の状態にあって（１）の麺の腰がなくなっても（３）の麺の腰はまだ十分残っている。なお（１）（２）（３）の麺の幅を調整する事で新しい食味食感が得られ腰長持ち麺となる。
【図面の簡単な説明】
【０００７】
【図１】本発明の原理説明斜視図
【図２】本発明の使用説明平面図
【符号の説明】
【０００８】１は麺の基本幅
２は１より広く
３は２より広く
４は麺の厚さは一定
５は麺の説明図
【図１】
2013244011.tif 000003
【図２】
2013244011.tif 000004
(57)【要約】      （修正有）【課題】生鮮マッシュルームの成分を見直し、より付加価値の高いものとして提供する。【解決手段】生鮮マッシュルームに、一定の環境下において、一定の条件を満たした紫外線を照射することで、マッシュルームの成分のエルゴステロールをビタミンＤに変化させ、マッシュルーム中のビタミンＤを、本来あった量よりさらに増幅させる。【選択図】なし【特許請求の範囲】
【請求項１】
生鮮マッシュルームに、一定の環境下において、一定の条件を満たした紫外線を照射することで、マッシュルームの成分のエルゴステロールがビタミンＤに変化し、マッシュルームにあった本来のビタミンＤよりさらに増幅する製造システムである。
【発明の詳細な説明】
【技術分野】
【０００１】本発明は、生鮮マッシュルーム（以後マッシュルームと明記し、学名のＡｇａｒｉｃｕｓ  Ｂｉｓｐｏｒｕｓのことを特定する）を収獲した後、生鮮のままを、ホール、スライスにしたマッシュルームそのまま処理し、マッシュルームに含まれるビタミンＤを増幅させる製造システムである。
【背景技術】
【０００２】従来の技術は、収獲前のキノコの栽培工程又は、収獲後の乾燥作業、粉末作業、殺菌作業等の加工工程での発明であった。【０００３】従来品は、加工品としての扱いとなるが、本発明品は、マッシュルームが持つ植物特性も保ちながら、生鮮としての特徴を持つものである。
【発明の概要】
【発明が解決しようとする課題】
【０００４】従来の栽培技術及び加工技術は、本発明とは別の工程である。マッシュルームそのものに直接紫外線を照射して、ビタミンＤを増幅させるシステムである。【０００５】本発明品は、マッシュルームの植物性を持ち、しかも生鮮である。
【課題を解決するための手段】
【０００６】収獲したマッシュルームをホール又はスライスしたものに、温度調整したところで、マッシュルームと紫外線との距離、照射時間、照射角度などを調整して、ビタミンＤ増幅の効果を得ることができる。本来マッシュルームに含まれているビタミンＤ及び／又はエルゴステノールが増幅し、結果としてマッシュルームのビタミンＤが元もとあったものより多くなる製造システムである。【０００７】紫外線照射後のマッシュルームの形状及び重量においても、余り変化が見られないし、植物性の特徴及び生鮮も保持する。
【発明の効果】
【０００８】上記に述べたように、生鮮マッシュルームに、一定の環境下において、一定の条件を満たした紫外線を照射することで、マッシュルームの成分のエルゴステロールがビタミンＤに変化し、マッシュルームにあった本来のビタミンＤよりさらに増幅した。
【図面の簡単な説明】
【０００９】
【図１】本発明の実施形態を示すビタミンＤ増幅装置システムの概略図
【図２】ビタミンＤ増幅システムのチャート
【発明を実施するための形態】
【００１０】以下、本発明の実施の形態を図１〜図３に基づいて説明する。
【００１１】図１において、１は、トレーにのった生鮮のスライス又はホールのマッシュルームで、２は、その順路で、右から左へと移動する。３は、開閉可能な入口、４は、照射時間と移動時間などを調整する時間制御装置、５は、一定の間隔で数本を並列にした紫外線（ＵＶ蛍光灯）発生装置、６は、その紫外線発生装置の波長などを制御する装置、７は、紫外線照射密閉箱の庫内温度を一定に保つために調整する空調設備、８は、順路に基づき、開閉可能な出口、９は、高さ調整可能なコンベヤー付き台、１０は、紫外線照射する密閉した箱により、マッシュルームのビタミンＤを増幅させ、それを生産可能となる製造システムである。
【００１２】図２において、本発明のビタミンＤ増幅システムをチャートにて説明する。前処理として、▲１▼収獲した生鮮マッシュルームを水洗いし、表面の水分を適度に乾燥させたものをスライス又はホールを準備、▲２▼サイズに合わせたトレーに入れ、コンベヤー台にのせ、▲３▼コンベヤー台から、紫外線照射庫内へ移動し、▲４▼密閉された紫外線照射箱の中で、一定の温度、一定の時間、一定の光源からマッシュルームまでの距離、一定の紫外線波長を照射し、▲５▼照射後、コンベヤーにて、紫外線照射庫外へ移動し、▲６▼照射したマッシュルームを一定に温度管理されたところへ移動し、包装することが、この一貫したビタミンＤ増幅製造システムである。
【符号の説明】
【００１３】  １  トレーにのったマッシュルーム（スライス・ホール）
２  順路
３  入口（開閉可能装置付き）
４  時間調節装置
５  紫外線発生装置
６  紫外線発生制御装置
７  空調設備
８  出口（開閉可能装置付き）
９  高低調節可能なコンベヤー付き台
１０  紫外線照射密閉箱
【図１】
2013244010.tif 000002
【図２】
2013244010.tif 000003
(57)【要約】      （修正有）【課題】本を横向きにして、横臥して読書するとき、文字方向と同じ方向に目線が移動するので、より疲れにくく、手で持たずに読書ができるようにし、枕上の横臥での読書を楽な姿勢でできるようにした横臥用書見台を提供する。【解決手段】本を横向きにして書見台を置くため、本を読みやすく、また安定にするために下端の角度を２０度程度とし、上端の角度を７０度程度にして作成すし、本の閉じようとするのを防止するために、頁止め具１で押える仕組みにする。頁止め具１は上下で４か所設ける。本が滑り落ちないようにストッパーを設けてる。頁止め具１は、ボルトにパッキンを入れ固定台に通し、押しバネを入れナットでとめる。パッキンは本の厚み調整のために入れてある。頁抑え板は、アクリル板等の透明の材料で作り、文字が透けて見えるようにする。また頁抑え板は自在に動くようになっている。【選択図】図１
2013244234.tif 000002
【特許請求の範囲】
【請求項１】
枕上で横臥して、読書するために本を横向きに固定し、手で持たず目線の移動を水平方向にして疲れないように工夫したことを特徴とする横臥用書見台である。
【発明の詳細な説明】
【技術分野】
【０００１】
この発明は、枕上で横に寝て読書するための横臥用書見台に関するものである。
【背景技術】
【０００２】
従来、寝床などの枕上で横臥して読書する場合、本を持ったり書見台を使ったりして読んでいた。いろんな姿勢で読書が可能な汎用書見台の発明が知られている（特許文献１）。
【先行技術文献】
【特許文献】
【０００３】
【特許文献１】特開２０００７−７５４４８
【発明の概要】
【発明が解決しようとする課題】
【０００４】
これは、次のような問題点があった。
寝床などで横臥して読書するとき、本を床の横に置いて手で持ったり、また本の下に台などを置いて読んでいた。また書見台を用いて読むことも出来るが、体が横向きのため読みづらかった。いずれにしても横臥の姿勢で長時間の読書は疲れやすい。
【課題を解決するための手段】
【０００５】
枕上で横臥して読書するために本を横向きにして読むための専用の書見台である。
以上を特徴とする横臥用書見台である。
【発明の効果】
【０００６】
本の文字が縦書きで、横臥して読書するとき、一般の書見台だと、目線の移動が垂直になるがこの書見台は目線が水平移動して読書が疲れにくい。また本を持たなくてよいので疲れない。自宅で病気療養している人、病気で入院している人が、より楽な姿勢で読書ができるようになる。
【図面の簡単な説明】
【０００７】
【図１】本発明の斜視図
【図２】本発明の側面図
【図３】頁止め具の側面図
【図４】本発明の使用状態の斜視図
【発明を実施するための形態】
【０００８】
以下、発明を実施するための形態について説明する。
（イ）  本を横向きにして書見台を置くため、本を読みやすく、また安定にするために図２の側面図のように下端の角度Ａを２０度程度とし、上端の角度Ｂを７０度程度にして作成する。
（ロ）  本の閉じようとするのを防止するために、頁止め具（１）で押える仕組みにしている。頁止め具（１）は上下で４か所設けている。
（ハ）  本が滑り落ちないようにストッパー（２）を設けている。
（二）  図３は頁止め具（１）の詳細図で、ボルト（３）にパッキン（５）を入れ固定台（６）に通し、押しバネ（７）を入れナット（８）でとめる。パッキン（５）は本の厚み調整のために入れてある。
（ホ）  頁抑え板（４）は、アクリル板等の透明の材料で作り、文字が透けて見えるようにする。また頁抑え板（４）は自在に動くようになっている。
本発明は、以上のような構造である。
これを使用するときは図４のように枕上で横に寝て、本を横向きに置き、頁止め具（１）によって本を押えて読書する。なお、一般の書見台のように本を立てて使うことも可能である。
【符号の説明】
【０００９】
１  頁止め具
２  ストッパー
３  ボルト
４  頁抑え板
５  パッキン
６  固定台
７  押しバネ
８  ナット
【図１】
2013244234.tif 000003
【図２】
2013244234.tif 000004
【図３】
2013244234.tif 000005
【図４】
2013244234.tif 000006
(57)【要約】      （修正有）【課題】従来のシステムは踏襲しながらも、ボーカロイド・システムを内蔵したオールインワンシンセサイザー（シーケンサ、リズムマシンあるいはサンプラー内蔵）を提供する。【解決手段】シンセサイザのシーケンサーシステムでメロディを入力し、オールインワンシンセでローマ字入力で歌詞を入力し、内蔵してあるサンプリング済みの声でリズムのアレンジとともに入力したボーカルメロディ通りに歌わせて他のパートとともにシンセで音楽をつくる。【選択図】なし【特許請求の範囲】
【請求項１】
〔０００１〕
従来のオールインワンシンセサイザー（シーケンサ、リズムマシンあるいはサンプラー内蔵）によるオールインワンシンセサイザーのシステムは踏襲しながらも、ボーカロイド・システムをシンセサイザーに内蔵する。
シンセサイザのシーケンサーシステムでメロディをステップ入力又はリアルタイム入力又はパンチ入力又はＵＳＢ入力又はＭＩＤＩ入力又は外部入力で入力し（弾き）、オールインワンシンセでローマ字入力で歌詞を入力し、すでに内蔵してある（サンプリング済みの声）でリズムのアレンジとともに入力したボーカルメロディ通りに歌わせて他のパートとともにシンセで音楽をつくることを可能にする発明である。
【発明の詳細な説明】
【技術分野】
【０００２】  本発明は従来のオールインワンシンセサイザなどの音楽をつくる楽器にシーケンサやリズムマシン又はサンプラーだけでなくボーカロイドを内蔵して新しい使用方法を規した発明である。
【抱含技術】
【０００３】従来のオールインワンシンセにはボーカロイドシステムがなかった。
【発明が解決しようとしている課題】
【０００４】従来のオールインワンシンセにはボーカロイドシステムがなかった。
【悩みを解決する手段】
【０００５】従来のオールインワンシンセにボーカロイドシステムを追加する。
【発明の効果】
【０００６】従来のオールインワンシンセでもボーカロイドパフォーマンスできる。
【発明を実施するための形能】
【０００７】従来のオールインワンシンセでもボーカロイドパフォーマンスできる。